(57)【要約】【課題】防振部材の劣化が生じにくいディスク装置を提供する。【解決手段】ディスク装置１は、メカ部２を支持して当該ディスク装置に加わる振動を防止する防振部材１１と、防振部材１１に捻り動作を付加するよう前記メカ部２を移動させる駆動部２０と、を備え、防振部材１１は捻り動作に対して弾性変形する。【選択図】図１
2010079940.tif 000002
【特許請求の範囲】
【請求項１】
ディスク装置のメカ部を支持して当該メカ部に加わる振動を防止する防振部材と、
前記防振部材に捻り動作を付加するよう前記メカ部を移動させる駆動部と、を備え、前記防振部材は、前記捻り動作に対して弾性変形することを特徴とするディスク装置。
【請求項２】
前記防振部材は、空洞を有し、前記捻り動作による弾性変形を容易とすることを特徴とする請求項１に記載のディスク装置。
【請求項３】
前記防振部材は、当該防振部材を支持する支持枠に対して接離可能に設けられ、少なくともその外周の一部が当該支持枠に係止されることを特徴とする請求項１又は２に記載のディスク装置。
【請求項４】
前記防振部材の外周は、歯車形状であることを特徴とする請求項３に記載のディスク装置。
【発明の詳細な説明】
【技術分野】
【０００１】
本発明は、ディスク装置に関する。
【背景技術】
【０００２】
コンパクトディスクやＤＶＤ、ブルーレイディスク等の読取媒体（以下、単にディスクと称する）に記録された音楽その他の各種データの読取、記録等を行うディスク装置が知られている。ディスク装置は、ディスクの読み取り中にディスク装置に対して振動が加わると、ディスク装置のピックアップとディスクの読み取り面との位置ずれ等が生じてディスクの読み取りを正確に行えないことがある。このため、ディスク装置の振動を防止するための防振構造を設けたディスク装置が知られている。
【０００３】
図７に従来のディスク装置１００の構成を示す。
ディスク装置１００のメカ部１０１は、その四隅付近を防振部材１１１に支持される。防振部材１１１は、弾性体（例えばゴム等）をその素材とし、メカ部１０１の振動を防止又は緩和する。
【０００４】
メカ部１０１はピン１０２を有する。ピン１０２は、メカ部１０１から延設され、スライドカム１２１のカム溝１２２内の上縁部に沿って誘導される。スライドカム１２１の稼動によりピン１０２が上下に誘導され、メカ部１０１は上下動する。具体的には、スライドカム１２１はメカ部１０１の下降時にカム溝１２２の上縁部によってピン１０２を下方へと誘導してメカ部１０１を下降させる。メカ部１０１の上昇時には、スライドカム１２１はピン１０２の下方への誘導を解消するよう動作し、防振部材１１１の弾性により上昇する。以下、メカ部１０１の上下動について説明する。
【０００５】
図８にメカ部１０１の上下動による変化を示す。図８（ａ）は上昇時、図８（ｂ）は下降時を示す。
メカ部１０１は、筐体１０３内に設けられる。筐体１０３は、ディスク挿入／排出口１０４を有する。ディスク挿入／排出口１０４は筐体１０３の側方に設けられた開口部であり、ディスクＤを挿入又は排出できる。メカ部１０１は、その中央付近に設けられたターンテーブル１０５を介して挿入されたディスクＤを保持する。
【０００６】
ディスクＤの挿入又は排出時には、図８（ｂ）に示すように、メカ部１０１が下降する。このとき、防振部材１１１は上下方向の応力を受ける。ディスクＤの挿入後又はディスク非挿入時には、図８（ａ）に示すように、メカ部１０１は上昇する。
【０００７】
図９に、防振部材１１１の変形の様子を示す。図９（ａ）は変形前、図９（ｂ）は変形後である。
防振部材１１１は、支持部１１２と、支持部１１３と、を有する。支持部１１２は、筐体１０３に固定される円盤状の部分である。支持部１１３は、支持部１１２の内側において、メカ部１０１の四隅付近に設けられたシャフト１０６と連結される部分である。支持部１１３は、外部からの力が加わらない場合、図８（ａ）に示すように、支持部１１２の円盤のほぼ中央に位置するよう設けられる。
【０００８】
図８（ａ）に示すメカ部１０１の上昇時には、図９（ａ）に示すように、支持部１１３は支持部１１２のほぼ中央に位置する。
一方、図８（ｂ）に示すメカ部１０１の下降時には、図９（ｂ）に示すように、支持部１１３は支持部１１２の下方へと移動する。このとき、支持部１１３の上方に位置する男性部材は上下方向に引張られ、支持部１１３の下方に位置する部分の弾性体は上下方向に圧縮される。即ち、メカ部１０１の下降に伴い、防振部材１１１は変形する。メカ部１０１の下降後、再びメカ部１０１が上昇するとき、防振部材１１１はその弾性により復元し、図９（ａ）に示す状態となる。
【０００９】
前述のようなディスクの防振構造において、より防振機能を高めるために防振部材内に液体を封入する構成が知られている（例えば特許文献１）。
【特許文献１】特開平８−３１１６３号公報
【発明の開示】
【発明が解決しようとする課題】
【００１０】
しかしながら、従来のディスク装置は、防振部材の劣化を生じやすくなることがある問題点があった。以下、当該問題点を詳細に説明する。
【００１１】
メカ部１０１に上下方向の振動が生じた場合、防振部材１１１の支持部１１３はディスク装置１１１の振動により上下に揺さぶられる。このとき、支持部１１３の上方及び下方に位置する弾性体が強い引張り力又は圧縮力を受けて変形する。一方、前述のように、メカ部１０１の下降時、防振部材１１１は支持部１１３の上部が引張られ下部が圧縮される。即ち、防振部材１１１は、メカ部１０１が上下に振動する場合の変形箇所とメカ部１０１が下降するときの変形箇所とが重複する。
【００１２】
防振部材１１１等の弾性体は、変形を繰り返すと次第に塑性変形を生じ、図９（ａ）に示す状態への復元性を失う、所謂劣化を生ずる。従って、防振部材１１１は、メカ部１０１が上下に振動する場合の変形箇所と、メカ部１０１が下降するときの変形箇所とが重複することにより、当該重複箇所に劣化を生じやすくなるのである。
【００１３】
本発明は、防振部材の劣化が生じにくいディスク装置を提供することを目的とする。
【課題を解決するための手段】
【００１４】
請求項１記載の発明によるディスク装置は、ディスク装置のメカ部を支持して当該メカ部に加わる振動を防止する防振部材と、前記防振部材に捻り動作を付加するよう前記メカ部を移動させる駆動部と、を備え、前記防振部材は、前記捻り動作に対して弾性変形することを特徴とする。
【００１５】
請求項２記載の発明は、請求項１に記載のディスク装置において、前記防振部材は、空洞を有し、前記捻り動作による弾性変形を容易とすることを特徴とする。
【００１６】
請求項３記載の発明は、請求項１又は２に記載のディスク装置において、前記防振部材は、当該防振部材を支持する支持枠に対して接離可能に設けられ、少なくともその外周の一部が当該支持枠に係止されることを特徴とする。
【００１７】
請求項４記載の発明は、請求項３に記載のディスク装置において、前記防振部材の外周は、歯車形状であることを特徴とする。
【発明の効果】
【００１８】
本発明によれば、防振部材の劣化が生じにくいディスク装置の防振構造を提供できる。
【発明を実施するための最良の形態】
【００１９】
（第１の実施形態）
以下、図を参照して本発明の実施の形態を詳細に説明する。まず、図１及至図３を用いて、本発明の第1の実施形態について説明する。
図１に、第１の実施形態によるディスク装置１の斜視図を示す。
ディスク装置１は、メカ部２の振動を防止又は緩和する防振部材１１と、メカ部２を上下動させる駆動部２０と、を備える。メカ部２は、ディスクを保持して回転させるターンテーブル７等を有し、ディスクの読取、記録等の各種処理を行う装置である。
【００２０】
防振部材１１は、メカ部２の基板の四隅付近に設けられた支持シャフト３をそれぞれ支持する弾性体である。防振部材１１に用いられる弾性体としては、ゴムや熱可塑性エラストマー等が挙げられるが、振動を吸収できる弾性を有する部材であればよい。
【００２１】
防振部材１１は、支持シャフト３を中心とした外周部が枠４の内周部と接離可能に設けられる。枠４は、メカ部２を覆う筐体５に固定された環状の部材である。本実施形態における枠４は、プラスチック等の樹脂を素材とするが、他の素材、例えば弾性体等によってもよい。
防振部材１１は、筐体５の内側に固定された枠４の内側に配設されてその位置を保持される。即ち、メカ部２は、防振部材１１及び枠４を介して筐体５に支持される。
【００２２】
筐体５は、ディスク挿入／排出口６を有する。ディスク挿入／排出口６は、筐体５に設けられた開口部であり、筐体５内にディスクを挿入可能とすると共に筐体５内に挿入されたディスクを排出可能とする。筐体５内に挿入されたディスクは、ターンテーブル７によって保持され、回転駆動される。
【００２３】
駆動部２０は、回動部材２１を有する。回動部材２１は、回動軸２２を中心として回動可能に設けられた枠体であり、その回動枠２３内に回動用シャフト８を擁する。回動用シャフト８は、メカ部２の側方から支持シャフト３と平行に延設される。回動部材２１が回動すると、回動枠２３が回動用シャフト８を引っ掛けてメカ部２を下方へと移動させる。
【００２４】
図２にメカ部２の上下動の仕組みを示す。図２（ａ）はメカ部２の上昇時、図２（ｂ）はメカ部２の下降時である。
回動部材２１が図２（ａ）に示す直立状態から図２（ｂ）に示す傾斜状態へと回動すると、メカ部２は下降する。このとき、メカ部２は、ディスクＤの挿入及び排出方向に沿った平面上から外れるので、ディスクＤの挿入又は排出が可能となる。
【００２５】
図２（ｂ）に示すように、メカ部２は、回動部材２１に誘導されて円弧を描くように下降する。このとき、支持シャフト３も円弧を描くように下降するので、防振部材１１は支持シャフト３の下降動作に伴って捻り動作を受け、支持シャフト３に対して当該捻り動作方向（図２（ａ）、（ｂ）の右下）に位置する部分が圧縮される。
【００２６】
駆動部２０によるメカ部２の下降動作がなされていない場合、図２（ａ）に示すように、メカ部２はディスクＤを保持可能な上昇位置に支持される。回動部材２１が図２（ｂ）に示す傾斜状態から図２（ａ）に示す直立状態へと回動すると、ディスク装置Ｄは上昇する。ディスク装置Ｄの上昇は、防振部材１１の弾性による。
【００２７】
次に、防振部材１１の変形について説明する。
図３に、防振部材１１及びその周辺の拡大構成図を示す。図３（ａ）は非変形時、図３（ｂ）はメカ部２の下降動作に伴う変形時を示す。
図３（ａ）に示すように、防振部材１１の支持シャフト３を中心とする外周部と、当該外周部と当接する枠４の内周部は、歯車形状である。防振部材１１と枠４とは、接離可能に設けられる。
【００２８】
防振部材１１は、空洞１２を有する。空洞１２は、防振部材１１の支持シャフト３周辺から外周側に向かって末広がりの形状を有し、支持シャフト３の延設方向に沿って防振部材１１を貫通している。即ち、空洞１２を有する防振部材１１は、支持シャフト３を中心として、その歯車形状の外周部を支持する輻（スポーク）状となるよう形成されている。
【００２９】
メカ部２に振動が生じる又は加わると、防振部材１１は振動のベクトル方向（例えば図３（ａ）の矢印Ｖ方向）に付勢され、支持スポークに対して当該ベクトルの向き側に位置する部分が支持シャフト３と枠４とに挟まれるように押圧され、振動の強さに応じて変形する。防振部材１１は、その弾性と変形とによりメカ部２の振動を防止又は緩和する。
【００３０】
前述の図２（ｂ）に示すメカ部２の下降時、支持シャフト３は円弧を描くように下降する。このとき、防振部材１１はその歯車形状により外周部が枠４の内周部に係止されるので、外周部は支持シャフト３の下降に追従しない。一方、防振部材１１の内側は空洞１２が潰れるよう変形し、支持シャフト３の下降に追従する。従って、メカ部２の下降時、防振部材１１は図３（ｂ）に示すように支持シャフト３の円弧を描く動作を受けてその外周部とその内側との間に捻りを生じる。即ち、支持シャフト３の円弧を描く動作により、防振部材１１は捻り動作を受けるので、図３（ｂ）に示すように、空洞１２が湾曲するように潰れる変形を生ずる。
メカ部２の下降後、メカ部２が上昇すると、支持シャフト３も上昇し、防振部材１１はその弾性により図３（ａ）に示す状態に戻る。
【００３１】
上述の実施形態によれば、メカ部２の下降時に、防振部材１１に捻り動作が付加されるので、防振部材１１は振動の防止又は緩和するときに生じる圧縮、変形とは異なる圧縮、変形を生じる。即ち、メカ部２の振動を防止又は緩和するときに防振部材１１に生じる圧縮、変形と、駆動部２０によるメカ部２の移動に伴って防振部材１１に生じる圧縮、変形と、は異なる。これによって、振動の防止又は緩和による防振部材１１の変形箇所と、駆動部２０によるメカ部２の移動に伴う防振部材１１の変形箇所との重複を低減できるので、防振部材１１の一部分が集中して変形を繰り返すことによる劣化を生じにくくすることができる。即ち、防振部材１１の劣化が生じにくいディスク装置を提供できる。
【００３２】
さらに、防振部材１１は、空洞１２を有するので、防振部材１１の変形時に空洞１２を押し潰すように変形することができ、防振部材１１の柔軟性及び振動吸収性能をより高めることができる。
【００３３】
さらに、防振部材１１は、枠４に対して接離可能に設けられ、その外周が枠４に係止される。従って、駆動部２０による捻り動作が防振部材１１に付加されたとき、防振部材１１の外周が枠４に係止されるので、防振部材１１はより確実に捻り動作を受けることができる。
【００３４】
さらに、防振部材１１の外周は歯車形状であるので、枠４の内周に設けられた内歯車と好適に噛み合い、係止されることができる。
【００３５】
（第２の実施形態）
本発明の実施形態は、上述の第１の実施形態に限定されない。以下、本発明の第２の実施形態について図４及び図５を用いて説明する。
図４に、本発明の第２の実施形態によるディスク装置３０の斜視図を示す。
ディスク装置３０は、メカ部３２の振動を防止又は緩和する防振部材４１と、メカ部３２を上下動させる駆動部５０と、を備える。
【００３６】
防振部材４１は、その上部でメカ部３２の支持シャフト３３をそれぞれ支持する弾性体であり、素材等については前述の防振部材１１と同様である。支持シャフト３３は、三角形状のトラバースシャーシで構成されるメカ部３２の外周３点から外向きに延出される。防振部材４１は、その下部がメカ部３２を覆う筐体３５に固定されている。
【００３７】
駆動部５０は、ディスク回動部材５１を有する。回動部材５１は、回動軸５２を中心として回動可能に設けられた枠体であり、その回動枠５３内に支持シャフト３３のひとつを擁する。回動部材５１が回動すると、回動枠５３がその内側の支持シャフト３３を引っ掛けてメカ部３２を下方へと移動させる。即ち、駆動部５０によるメカ部３２の上下動は、第1の実施形態における駆動部２０と同様である。
【００３８】
回動部材５１の回動動作に伴い、メカ部３２はその三角形状のほぼ中央を回転中心として回転しながら下降する。このとき、防振部材４１はメカ部３２の回転動作による捻り動作を受ける。
【００３９】
図５に、防振部材４１の拡大構成図を示す。図５（ａ）は非変形時、図５（ｂ）はメカ部３２の下降動作に伴う変形時を示す。
防振部材４１は、空洞４２を有する。空洞４２は、防振部材４１の支持シャフト３３の下方に設けられ、支持シャフト３３の延設方向に沿って防振部材４１を貫通している。
【００４０】
メカ部３２に振動が生じる又は加わると、防振部材４１は振動のベクトル方向（例えば図５（ａ）の矢印Ｗ方向）に付勢され、振動の強さに応じて空洞４２を押し潰すように変形する。防振部材４１は、その弾性と変形とによりメカ部３２の振動を防止又は緩和する。
【００４１】
メカ部３２の下降時、支持シャフト３３はメカ部３２のほぼ中央を回転中心として回動しながら下降する。これに伴い、図５（ｂ）に示すように、防振部材４１の上部は支持シャフト３３の回動に追従し、下部に対して捻り動作を受けると共に、下方へと潰れるよう変形する。
メカ部３２は、下降後に再度上昇する場合、防振部材４１の弾性により下降時と逆方向に回転しながら上昇する。このとき、防振部材４１は、図５（ｂ）に示す変形した状態から図５（ａ）に示す変形前の状態へと戻る。
【００４２】
第２の実施形態によれば、第１の実施形態と同様、メカ部３２の下降時に、防振部材４１に捻り動作が付加されるので、防振部材４１は振動の防止又は緩和するときに生じる圧縮、変形とは異なる圧縮、変形を生じる。これによって、振動の防止又は緩和による防振部材４１の変形箇所と、駆動部５０によるメカ部３２の移動に伴う防振部材４１の変形箇所との重複を低減できるので、防振部材４１の一部分が集中して変形を繰り返すことによる劣化を生じにくくすることができる。即ち、防振部材１１の劣化が生じにくいディスク装置を提供できる。
【００４３】
さらに、防振部材４１は、空洞４２を有するので、防振部材４１の変形時に空洞４２を押し潰すように変形することができ、防振部材４１の柔軟性及び振動吸収性能をより高めることができる。
【００４４】
なお、本発明の実施形態は、今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４５】
例えば、防振部材の形状は前述の第１、第２の実施形態で示す形状に限らない。
図６に他の形状を有する防振部材７１の一例を示す。図６（ａ）は非変形時、図６（ｂ）はディスク装置の下降動作に伴う変形時を示す。
【００４６】
防振部材７１は、紡錘形の弾性体であり、その内側に空洞７２を有する。防振部材７１は、その一方（例えば下面）がディスク装置を覆う筐体等に固定され、他方（例えば上方）がディスク装置を支持する。ディスク装置に振動が生じる又は加わると、防振部材７１は振動のベクトル方向（例えば図５（ａ）の矢印Ｕ方向）に付勢され、振動の強さに応じて空洞７２を押し潰すように変形する。防振部材７１は、その弾性と変形とによりディスク装置の振動を防止又は緩和する。
【００４７】
ディスク装置を下降させる駆動部は、ディスク装置の下降時に防振部材７１に対して捻り動作を加えるよう設けられる。防振部材７１は、例えば図６（ｂ）に示すような変形を生じる捻り動作を加えられる。これによって、防振部材７１は、振動によって応力を受ける部分と、ディスク装置の下降時に応力を受ける部分とを略分離することができるので、その一部が集中して応力を受けることに起因する劣化を生じにくい。
【００４８】
なお、防振部材の形状は、前述の防振部材１１、４１、７１の他、捻り動作によって振動によって応力を受ける部分と、ディスク装置の下降時に応力を受ける部分とを略分離できる形状であればよい。
また、ディスク装置の防振構造及びディスク装置の各部の形状、動作等はあくまで一例であり、他の形状や動作をとってもよい。
【図面の簡単な説明】
【００４９】
【図１】第１の実施形態によるディスク装置の斜視図である。
【図２】メカ部２の上下動の仕組みを示す図である。図２（ａ）はメカ部２の上昇時、図２（ｂ）はメカ部２の下降時である。
【図３】防振部材及びその周辺の拡大構成図である。図３（ａ）は非変形時、図３（ｂ）はメカ部２の下降動作に伴う変形時を示す。
【図４】本発明の第２の実施形態によるディスク装置を示す斜視図である。
【図５】防振部材の拡大構成図を示す図である。図５（ａ）は非変形時、図５（ｂ）はメカ部３２の下降動作に伴う変形時を示す。
【図６】他の形状を有する防振部材の一例を示す図である。図６（ａ）は非変形時、図６（ｂ）はディスク装置の下降動作に伴う変形時を示す。
【図７】従来のディスク装置の構成を示す図である。
【図８】メカ部１０１の上下動による変化を示す。図８（ａ）は上昇時、図８（ｂ）は下降時を示す。
【図９】従来の防振部材の変形の様子を示す図である。図９（ａ）は変形前、図９（ｂ）は変形後である。
【符号の説明】
【００５０】
２    ディスク装置
３    支持シャフト
４    枠
５    筐体
６    ディスク挿入／排出口
７    ターンテーブル
１１  防振部材
１２  空洞
２１  回動部材
【図１】
2010079940.tif 000003
【図２】
2010079940.tif 000004
【図３】
2010079940.tif 000005
【図４】
2010079940.tif 000006
【図５】
2010079940.tif 000007
【図６】
2010079940.tif 000008
【図７】
2010079940.tif 000009
【図８】
2010079940.tif 000010
【図９】
2010079940.tif 000011